(57)【要約】      （修正有）【課題】キャリア・アグリゲーション試験方法を提供する。【解決手段】ユーザ機器３及びこのユーザ機器３に関して基地局として動作するように構成されているキャリア・アグリゲーション試験装置１の間に、プライマリコンポーネントキャリア５を割り当てることと、前記ユーザ機器３及び前記キャリア・アグリゲーション試験装置１間に、少なくとも１つの機能的に制限されたセカンダリコンポーネントキャリア７を割り当てることと、前記プライマリコンポーネントキャリア５に前記少なくとも１つの機能的に制限されたセカンダリコンポーネントキャリア７をアグリゲートすることと、前記少なくとも１つの機能的に制限されたセカンダリコンポーネントキャリア７の機能に基づいているキャリア・アグリゲーション試験を実行することと、を具備する。【選択図】図１
2014027656.tif 000002
【特許請求の範囲】
【請求項１】
ユーザ機器（３）及びこのユーザ機器（３）に関して基地局として動作するように構成されているキャリア・アグリゲーション試験装置（１）の間に、プライマリコンポーネントキャリア（５）を割り当てること（１００）と、
前記ユーザ機器（３）及び前記キャリア・アグリゲーション試験装置（１）間に、少なくとも１つの機能的に制限されたセカンダリコンポーネントキャリア（７）を割り当てること（２００）と、
前記プライマリコンポーネントキャリア（５）に前記少なくとも１つの機能的に制限されたセカンダリコンポーネントキャリア（７）をアグリゲートすることと、
前記少なくとも１つの機能的に制限されたセカンダリコンポーネントキャリア（７）の機能に基づいているキャリア・アグリゲーション試験を実行すること（４００）と、
を具備する、通信システムに対するキャリア・アグリゲーション試験方法。
【請求項２】
前記少なくとも１つの機能的に制限されたセカンダリコンポーネントキャリア（７）が物理信号をサポートしない仮想コンポーネントキャリアである、請求項１の方法。
【請求項３】
前記少なくとも１つの機能的に制限されたセカンダリコンポーネントキャリア（７）がダウンリンク信号及び手順のみをサポートする、請求項１の方法。
【請求項４】
前記少なくとも１つの機能的に制限されたセカンダリコンポーネントキャリア（７）がアップリンク及びダウンリンク信号及び／又は手順のサブセットのみをサポートする、請求項１の方法。
【請求項５】
前記少なくとも１つの機能的に制限されたセカンダリコンポーネントキャリア（７）を割り当て及びアグリゲートするために、前記キャリア・アグリゲーション試験装置（１）が前記少なくとも１つの機能的に制限されたセカンダリコンポーネントキャリア（７）に関連しているハードウェア及び／又はソフトウェア・リソースのみを用いる、請求項１〜４のいずれかに記載の方法。
【請求項６】
通信システムにおけるキャリア・アグリゲーション試験を実行するキャリア・アグリゲーション試験装置（１）において、当該キャリア・アグリゲーション試験装置（１）がユーザ機器（３）に関する基地局として動作するように構成され、
前記ユーザ機器（３）及び前記キャリア・アグリゲーション試験装置（１）の間に、プライマリコンポーネントキャリア（５）を割り当てる手段（１０）と、
前記ユーザ機器（３）及び前記キャリア・アグリゲーション試験装置（１）間に、少なくとも１つの機能的に制限されたセカンダリコンポーネントキャリア（７）を割り当て、前記少なくとも１つの機能的に制限されたセカンダリコンポーネントキャリア（７）を前記プライマリコンポーネントキャリア（５）にアグリゲートする手段（２０）と、
前記少なくとも１つの機能的に制限されたセカンダリコンポーネントキャリア（７）の機能に基づいているキャリア・アグリゲーション試験を実行する手段（３０）と、
を具備する、キャリア・アグリゲーション試験装置（１）。
【請求項７】
前記少なくとも１つの機能的に制限されたセカンダリコンポーネントキャリア（７）が物理信号をサポートしない仮想コンポーネントキャリアである、請求項６のキャリア・アグリゲーション試験装置（１）。
【請求項８】
前記少なくとも１つの機能的に制限されたセカンダリコンポーネントキャリア（７）がダウンリンク信号及び手順のみをサポートする、請求項６のキャリア・アグリゲーション試験装置（１）。
【請求項９】
前記少なくとも１つの機能的に制限されたセカンダリコンポーネントキャリア（７）がアップリンク及びダウンリンク信号及び／又は手順のサブセットのみをサポートする、請求項６のキャリア・アグリゲーション試験装置（１）。
【請求項１０】
前記少なくとも１つの機能的に制限されたセカンダリコンポーネントキャリア（７）を割り当て及びアグリゲートするために、前記キャリア・アグリゲーション試験装置（１）が前記少なくとも１つの機能的に制限されたセカンダリコンポーネントキャリア（７）に関連しているハードウェア及び／又はソフトウェア・リソースを用いるように構成されている、請求項６〜９のいずれかに記載のキャリア・アグリゲーション試験装置（１）。
【発明の詳細な説明】
【技術分野】
【０００１】
この発明は、無線通信技術の分野、特にキャリア・アグリゲーション試験方法及びその無線通信システム用の装置に関する。
【背景技術】
【０００２】
無線通信ネットワークには、例えば、第３世代のパートナーシップ・プロジェクト（３ＧＰＰ）の仕様書に従って、いくつかのコンポーネントキャリアが異なる周波数チャンネルで動作し、単一の無線リンク中に束ねられているキャリア・アグリゲーション（ＣＡ）の概念が導入されている。
【０００３】
キャリア・アグリゲーションの例には、コンステレーション（constellation）が２又はそれ以上の隣接するコンポーネントキャリアで構成されている連続的なキャリア・アグリゲーションと、同一の周波数帯或いはスペクトルからなる２或いはそれ以上の非隣接コンポーネントキャリアでコンステレーションが構成されている非連続のイントラ・バンド・キャリア・アグリゲーションと、少なくとも２つの異なる周波数帯或いはスペクトルからなる２又はそれ以上のコンポーネントキャリアでコンステレーションが構成されているインタ・バンド・キャリア・アグリゲーションと、がある。
【０００４】
無線通信ネットワークにおけるキャリア・アグリゲーションの信頼度を改善するために、１つ以上のコンポーネントキャリアに関してユーザ機器（ＵＥ）のキャリア・アグリゲーション試験が実行されている。
【０００５】
特に、キャリア・アグリゲーション試験を実施すべく、基地局（ＢＳ）として動作する、キャリア・アグリゲーション試験装置が使用されている。全てのコンポーネントキャリアをシミュレートするために、このキャリア・アグリゲーション試験装置は、この実施すべきキャリア・アグリゲーション試験に従った、大きさ（ディメンション）を必要とし、ハードウェア及び／又はソフトウェア・リソースを提供している。
【０００６】
このキャリア・アグリゲーション試験では、キャリア・アグリゲーション試験装置におけるハードウェア及び／又はソフトウェア・リソースの量的増加を要求し、したがって、後者の複雑さが著しく増加されている。更に、そのようなハードウェア及び／又はソフトウェア・リソースは高価とされる。従って、キャリア・アグリゲーションを試験する装置のコストも高価とされる。
【発明の概要】
【０００７】
この発明の目的は、複雑さ及びコストの減少の有利さを伴う新しいキャリア・アグリゲーションを試験する装置を提供するにある。
【０００８】
この発明の他の目的は、この発明に従ったキャリア・アグリゲーション試験装置を用いるキャリア・アグリゲーション試験方法を提供するにある。
【０００９】
これらの及び他の目的は、通信システムのためのキャリア・アグリゲーション試験方法の手段によって実現され、この方法は、下記ステップで構成されている。
【００１０】
前記方法は、
ユーザ機器及びこのユーザ機器に関して基地局として動作するように構成されているキャリア・アグリゲーション試験装置の間に、プライマリコンポーネントキャリアを割り当てることと、
前記ユーザ機器及び前記キャリア・アグリゲーション試験装置間に、少なくとも１つの機能的に制限されたセカンダリコンポーネントキャリアを割り当てることと、
前記プライマリコンポーネントキャリアに前記少なくとも１つの機能的に制限されたセカンダリコンポーネントキャリアをアグリゲートすることと、
前記少なくとも１つの機能的に制限されたセカンダリコンポーネントキャリアの機能に基づいているキャリア・アグリゲーション試験を実行することと、
を具備している。
【００１１】
前記キャリア・アグリゲーション試験の間に、全機能コンポーネントキャリアに代えた前記少なくとも１つの機能的に制限されたセカンダリコンポーネントキャリアの割り当て及びアグリゲーションが前記キャリア・アグリゲーション試験においてハードウェア及び／又はソフトウェア・リソースの使用を減少させることとなることが、この発明の際立つ特徴となっている。特に、前記少なくとも１つの機能的に制限されたセカンダリコンポーネントキャリアが前記キャリア・アグリゲーション試験の間において、減少された数の信号及びチャネルを送信し、及び/又は、全機能コンポーネントキャリアと比較する手順のサブセットのみを実行する。前記キャリア・アグリゲーション試験を実行すべく全機能コンポーネントキャリアの場合に用いられている前記キャリア・アグリゲーション試験装置に比べられるこのキャリア・アグリゲーション試験装置によって、ハードウェア及び/又はソフトウェア・リソース量の減少を招くこととなる。従って、キャリア・アグリゲーション試験装置の複雑さ並びにコストの低減が達成される。
【００１２】
１実施の形態では、前記少なくとも１つの機能的に制限されたセカンダリコンポーネントキャリアは、物理信号をサポートしない仮想コンポーネントキャリアとなる。
【００１３】
他の実施の形態では、前記少なくとも１つの機能的に制限されたセカンダリコンポーネントキャリアは、ダウンリンク信号及び手順のみをサポートする。
【００１４】
更に他の実施の形態では、前記少なくとも１つの機能的に制限されたセカンダリコンポーネントキャリアは、アップリンク及びダウンリンク信号及び／又は手順のサブセットのみをサポートする。
【００１５】
特定の実施の形態では、前記少なくとも１つの機能的に制限されたセカンダリコンポーネントキャリアを割り当て及びアグリゲートするために、前記キャリア・アグリゲーション試験装置が前記少なくとも１つの機能的に制限されたセカンダリコンポーネントキャリアに関連しているハードウェア及び／又はソフトウェア・リソースのみを用いている。
【００１６】
この発明は、また、通信システムにおけるキャリア・アグリゲーション試験を実行するキャリア・アグリゲーション試験装置を実現している。この発明のキャリア・アグリゲーション試験装置は、ユーザ機器に関する基地局として動作するように構成され、
前記ユーザ機器及び前記キャリア・アグリゲーション試験装置の間に、プライマリコンポーネントキャリアを割り当てる手段と、
前記ユーザ機器及び前記キャリア・アグリゲーション試験装置間に、少なくとも１つの機能的に制限されたセカンダリコンポーネントキャリアを割り当て、前記少なくとも１つの機能的に制限されたセカンダリコンポーネントキャリアを前記プライマリコンポーネントキャリアにアグリゲートする手段と、
前記少なくとも１つの機能的に制限されたセカンダリコンポーネントキャリアの機能に基づいているキャリア・アグリゲーション試験を実行する手段と、
を具備している。
【００１７】
１実施の形態では、前記少なくとも１つの機能的に制限されたセカンダリコンポーネントキャリアは物理信号をサポートしない仮想コンポーネントキャリアである。
【００１８】
他の実施の形態では、前記少なくとも１つの機能的に制限されたセカンダリコンポーネントキャリアはダウンリンク信号及び手順のみをサポートしている。
【００１９】
更に他の実施の形態では、前記少なくとも１つの機能的に制限されたセカンダリコンポーネントキャリアはアップリンク及びダウンリンク信号及び／又は手順のサブセットのみをサポートしている。
【００２０】
特定の実施の形態では、前記少なくとも１つの機能的に制限されたセカンダリコンポーネントキャリアを割り当て及びアグリゲートするために、前記キャリア・アグリゲーション試験装置（１）は前記少なくとも１つの機能的に制限されたセカンダリコンポーネントキャリア（７）に関連しているハードウェア及び／又はソフトウェア・リソースを用いるように構成されている。
【図面の簡単な説明】
【００２１】
この発明の目的及び特徴は、添付の図面を詳細に参照するこの発明のいくつかの実施の形態によってより明らかとなる。
【図１】この発明の実施の形態に従ったキャリア・アグリゲーション試験装置を示している。
【図２】この発明の実施の形態に従ったキャリア・アグリゲーション試験方法のフローチャートを示している。
【発明を実施するための形態】
【００２２】
以下に、この発明の実施の形態について、添付図面を参照して詳細に説明する。
【００２３】
この実施の形態は、３ＧＰＰ ＬＴＥ−Ａｄｖａｎｃｅｄ標準規格に適用され、この３ＧＰＰ ＬＴＥ−Ａｄｖａｎｃｅｄ標準規格の一般的な概念及び高いレベルの手順（procedures）は、３ＧＰＰ技術規格書３６．３００に記載されている。更に、この発明は、マルチ・キャリアをアグリゲートさせる概念（例えば、マルチ・キャリアＨＳＰＡ、ＥＶ−ＤＯ Ｒｅｖ．Ｂ，８０２．１６ｍ（所謂ＷｉＭａｘ Ｒｅｌ．２）等）を用いている無線通信システムのいずれにも適用することができる。
【００２４】
図１は、この発明の実施の形態に従った無線通信システムにおけるキャリア・アグリゲーション試験を実施するキャリア・アグリゲーション試験装置を示している。このキャリア・アグリゲーション試験装置は、テスト中（試験中）にユーザ機器３に関する基地局として働くように構成され、前記ユーザ機器３及び前記キャリア・アグリゲーション試験装置１間にプライマリコンポーネントキャリアを割り当てる手段１０から構成されている。一般に、プライマリコンポーネントキャリアの割り当てを実施する手段は、３ＧＰＰ技術規格書３６．３００に記載されている。
【００２５】
実施の形態においては、前記手段１０は、前記キャリア・アグリゲーション試験装置１において前記プライマリコンポーネントキャリア５のために、ユーザ入力に基づいてハードウェア・リソースを構成し、また、割り当てし、前記ユーザ機器３に前記プライマリコンポーネントキャリアを用いさせるように構成することができる情報処理システムを含む装置を具備している。
【００２６】
更に、前記キャリア・アグリゲーション試験装置１は、前記ユーザ機器３及び前記キャリア・アグリゲーション試験装置１間に少なくとも１つの機能的に制限されたセカンダリコンポーネントキャリアを割り当て、また、前記プライマリコンポーネントキャリア５に前記少なくとも１つの機能的に制限されたコンポーネントキャリア７をアグリゲートする手段２０から構成されている。一般に，セカンダリコンポーネントキャリアの割り当て及びアグリゲートを実施する手段は、３ＧＰＰ技術規格書３６．３００に記載されている。
【００２７】
１実施の形態においては、前記手段２０は、前記キャリア・アグリゲーション試験装置１において機能的に制限されたセカンダリコンポーネントキャリア７に対するハードウェア・リソースを配分し、また、構築することができ、前記ユーザ機器に対して前記機能的に制限されたセカンダリコンポーネントキャリアを使用させることができる情報処理システムを含む装置から構成されている。付加的に、前記キャリア・アグリゲーション試験装置１及び前記ユーザ機器３間において、前記プライマリコンポーネントキャリア５に亘って交換されるメッセージを用いることによって、前記プライマリコンポーネントキャリア５に前記少なくとも１つの制限されたセカンダリコンポーネントキャリアをアグリゲートさせるように、前記手段２０は、構成されている。
【００２８】
全機能コンポーネントキャリアは、全ての信号及びチャネルを伝送し、そのようなキャリアの動作に対して要求される手順を実行するコンポーネントキャリアであると良く知られている。そして、一般には、全ての信号及びチャネルを伝送する全機能コンポーネントキャリアのみを用いるキャリア・アグリゲーション装置は、相当量のハードウェア及び／又はソフトウェア・リソース（例えば、無線信号の発生のためのリソース、無線信号の送信及び受信のためのリソース、メモリーリソース、処理ユニット等）を必要としている。
【００２９】
前記キャリア・アグリゲーション試験の間に減少された数の信号及びチャネルを送るコンポーネントキャリアであるところの、上述したような前記少なくとも１つの機能的に制限されているセカンダリコンポーネントキャリア７を割り当て、また、アグリゲートすることは、前記キャリア・アグリゲーション試験装置１によって用いられるべきことが必要とされている前記ハードウェア及び／又はソフトウェア・リソースを減少させる効果がある。そして、前記キャリア・アグリゲーション試験装置の複雑さ並びにコストの低減を図ることができる。
【００３０】
１実施の形態において、前記少なくとも１つの機能的に制限されたセカンダリコンポーネントキャリア７は、物理的信号を何らサポートすることがないように構成されている仮想コンポーネントキャリアである。
【００３１】
他の実施の形態では、前記少なくとも１つの機能的に制限されたセカンダリコンポーネントキャリア７は、ダウンリンク信号及び手順をサポートするように構成されている。
【００３２】
更に他の実施の形態では、前記少なくとも１つの機能的に制限されたセカンダリコンポーネントキャリア７は、アップリンク及びダウンリンク信号及び／又は手順のサブセットのみをサポートするように構成されている。
【００３３】
重要なことは、キャリア・アグリゲーション試験の間においては、試験中の前記ユーザ機器３は、前記キャリア・アグリゲーション試験装置１が機能的に制限されたセカンダリコンポーネントキャリアを用いるとの事実を知らないことにある。特に、前記ユーザ機器３は全機能コンポーネントキャリアとして前記機能的に制限されたコンポーネントキャリアを認識し、実際の無線通信システムの規格書の仕様を充足することとなる。従って、前記キャリア・アグリゲーション試験を実行すべく、特に、前記少なくとも１つの機能的に制限されたセカンダリコンポーネントキャリア７を割り当て、また、アグリゲートすべく、前記キャリア・アグリゲーション試験装置１は、前記少なくとも１つの機能的に制限されているセカンダリコンポーネントキャリア７に関連しているハードウェア及び／又はソフトウエア／リソースのみを用いることができ、よって、上述したように前記試験装置の複雑さ並びにコストを減少させることが実現される。
【００３４】
ある例では、前記少なくとも１つの機能的に制限されているセカンダリコンポーネントキャリアが無線信号の発生及び送信のためのリソースのみを用いることができる。他の例では、前記少なくとも１つの機能的に制限されているセカンダリコンポーネントキャリア７は、全機能コンポーネントキャリアにおいて要求される全無線信号のサブセットの発生、送信及び受信のみを用いている。
【００３５】
更に、前記キャリア・アグリゲーション試験装置１は、前記少なくとも１つの機能的に制限されたセカンダリコンポーネントキャリア７の機能に基づいてキャリア・アグリゲーション試験を実行する手段３０から構成されている。
【００３６】
重要なことは、キャリア・アグリゲーション試験が前記少なくとも１つの機能的に制限されたセカンダリコンポーネントキャリア７の１つ以上の機能に基づくことができることであり、特にこのことは、１つの機能に限られないことである。機能性の範囲は、実行される前記キャリア・アグリゲーション試験に依存している。
【００３７】
１実施の形態では、前記手段３０は、ある試験記述或いは他の自動化試験を実行することができる情報処理システムで構成されている。
【００３８】
他の実施の形態では、前記手段３０は、前記キャリア・アグリゲーション試験を実施するオペレーターによって操作されている。
【００３９】
一般に、３ＧＰＰキャリア・アグリゲーション試験は、３ＧＰＰ技術規格書３６．５２３−３に記載されている。しかしながら、実施される前記キャリア・アグリゲーション試験に応じて、前記キャリア・アグリゲーション試験装置の異なる実装態様があるかもしれない。
【００４０】
機能的に制限されたセカンダリコンポーネントキャリアを割り当てることによって実施されることができるキャリア・アグリゲーション試験の例は、１又はそれ以上のセカンダリコンポーネントキャリアの付加及び除去、接続されたモード・モビリティにおける前記セカンダリコンポーネントキャリアの変更及びセカンダリコンポーネントキャリア測定の構成及びパフォーマンスを含んでいる。
【００４１】
重要なことは、前記キャリア・アグリゲーション試験の間における前記キャリア・アグリゲーション試験装置１及び前記ユーザ機器３間の信号の交換は、例えば同軸ケーブルを介してのワイヤ接続、或いは、例えば、前記キャリア・アグリゲーション試験装置１が前記ユーザ機器３と信号を交換するためにアンテナを更に具備していることのような、ワイヤレス接続手段によって実施できることである。
【００４２】
図２は、基地局として動作するように構成されているキャリア・アグリゲーション試験装置１及びユーザ機器３から構成されている無線通信システムに対するキャリア・アグリゲーション試験方法のステップを示している。
【００４３】
ステップ１００においては、プライマリコンポーネントキャリア５が前記ユーザ機器３及び前記キャリア・アグリゲーション試験装置１との間に割り当てられる。
【００４４】
このプライマリコンポーネントキャリアの割り当ては、上述したように、手段１０によって実施することができる。
【００４５】
ステップ２００においては、少なくとも１つの機能的に制限されたセカンダリコンポーネントキャリア７が前記ユーザ機器３及び前記キャリア・アグリゲーション試験装置１との間に割り当てられる。
【００４６】
この少なくとも１つの機能的に制限されたセカンダリコンポーネントキャリア７の割り当ては、上述したように、手段１０によって実施することができる。
【００４７】
ステップ３００においては、少なくとも１つの機能的に制限されたセカンダリコンポーネントキャリア７がプライマリコンポーネントキャリア５にアグリゲートされる。
【００４８】
このアグリゲートは、前記プライマリコンポーネントキャリア５に亘る前記キャリア・アグリゲーション試験装置１及び前記ユーザ機器３間で交換されるメッセージを用いることによって、上述した前記手段２０によって実行させることができる。
【００４９】
ステップ４００においては、前記少なくとも１つの機能的に制限されたセカンダリコンポーネントキャリア７の機能に基いて、キャリア・アグリゲーション試験が実行される。
【００５０】
前記キャリア・アグリゲーション試験の実行は、上述した前記手段３０によって実施することができる。
【００５１】
１実施の形態においては、前記少なくとも１つの機能的に制限されたセカンダリコンポーネントキャリア７は、物理的信号をサポートしない仮想コンポーネントキャリアとなる。
【００５２】
他の実施の形態では、前記少なくとも１つの機能的に制限されたセカンダリコンポーネントキャリアは、ダウンリンク信号及び手順のみをサポートしている。
【００５３】
更に他の実施の形態では、前記少なくとも１つの機能的に制限されたセカンダリコンポーネントキャリア７は、アップリンク及びダウンリンク信号並びに／或いは手順のサブセットのみをサポートしている。
【００５４】
前記少なくとも１つの機能的に制限されたセカンダリコンポーネントキャリア７の機能に基づくキャリア・アグリゲーション試験の他の例は、下記のステップから構成されている。
【００５５】
前記キャリア・アグリゲーション試験装置がユーザ機器に関して基地局として動作するように構成されているキャリア・アグリゲーション試験装置及び前記ユーザ機器間のプライマリコンポーネントキャリアを割り当てている。
【００５６】
前記キャリア・アグリゲーション試験装置が少なくとも１つの機能的に制限されたセカンダリコンポーネントキャリアを割り当てるとともにアグリゲートしている。ここで、前記キャリア・アグリゲーション試験装置は、他の信号或いは他のチャネルの送信のためではなく、しかも、このキャリア上での信号受信のためでもなく、セル参照信号の生成及び送信のためのハードウェア・リソースのみを割り当てている。
【００５７】
前記キャリア・アグリケーション試験は、前記機能的に制限されたセカンダリコンポーネントキャリアによって用いられた前記周波数上で信号強度測定を実施するように前記ユーザ機器を構成している。
【００５８】
前記ユーザ機器は、前記機能的に制限されたセカンダリコンポーネントキャリアによって送られた前記セル参照信号の前記強度を測定し、前記プライマリコンポーネントキャリアを通じて前記キャリア・アグリゲーション試験装置に前記測定をレポートしている。
【符号の説明】
【００５９】
１・・・キャリア・アグリゲーション試験装置、３・・・ユーザ機器、５・・・プライマリコンポーネントキャリア、１０・・・プライマリコンポーネントキャリアを割り当てる手段、７・・・少なくとも１つの機能的に制限されたセカンダリコンポーネントキャリア、２０・・・少なくとも１つの機能的に制限されたセカンダリコンポーネントキャリア７をアグリゲートする手段、３０・・・キャリア・アグリゲーション試験を実行する手段
【図１】
2014027656.tif 000003
【図２】
2014027656.tif 000004